(57)【要約】【課題】殺菌等の作用をより十分に発揮可能な紫外線照射装置並びにその紫外線照射装置を好適に用いた便器構造及び浴槽構造を提供する。【解決手段】紫外線照射装置１０は、紫外線を照射可能な紫外線ＬＥＤ３と、この紫外線ＬＥＤ３と一体に紫外線を透光可能な透光性材料によって形成され、紫外線ＬＥＤ３が照射する紫外線が内部に入射され、かつ紫外線を外部に出射可能な出射部５ａが少なくとも一部に形成された透光性部材５と、出射部５ａの表面に形成され、紫外線を透光可能であるとともに光触媒を含む防汚層７とを備えている。【選択図】図２
2007027553.tif 000002
【特許請求の範囲】
【請求項１】
紫外線を照射可能な紫外線光源と、該紫外線光源と一体に該紫外線を透光可能な透光性材料によって形成され、該紫外線光源が照射する該紫外線が内部に入射され、かつ該紫外線を外部に出射可能な出射部が少なくとも一部に形成された透光性部材と、該出射部の表面に形成され、該紫外線を透光可能であるとともに光触媒を含む防汚層とを備えていることを特徴とする紫外線照射装置。
【請求項２】
前記出射部は、前記紫外線光源からの距離が大きくなるほど前記紫外線を出射し易くされている請求項１記載の紫外線照射装置。
【請求項３】
前記透光性部材及び前記防汚層は変形可能である請求項１又は２記載の紫外線照射装置。
【請求項４】
前記紫外線光源は電磁給電によって前記紫外線を照射可能なものである請求項１乃至３のいずれか１項記載の紫外線照射装置。
【請求項５】
床面に便器本体を載置した便器構造において、
前記床面と前記便器本体との間に請求項１乃至４のいずれか１項記載の紫外線照射装置が設けられていることを特徴とする便器構造。
【請求項６】
上縁が壁面に当接するように浴槽を施工した浴槽構造において、
前記上縁の内部に請求項１乃至４のいずれか１項記載の紫外線照射装置が設けられていることを特徴とする浴槽構造。
【発明の詳細な説明】
【技術分野】
【０００１】
本発明は、紫外線照射装置並びにそれを用いた便器構造及び浴槽構造に関する。
【背景技術】
【０００２】
特許文献１に従来の紫外線照射装置が開示されている。この紫外線照射装置は、紫外線を照射可能な紫外線ランプ等の紫外線光源と、この紫外線光源と一体に形成された光ファイバとからなるものである。光ファイバは、紫外線を透光可能なコアと、コアの表面に形成され、コアよりも低い屈折率のクラッドとからなる。コアの内部には紫外線光源が照射する紫外線が入射されるようになっている。クラッドにはコアの一部を露出させる出射部が形成されており、クラッドは、出射部以外の部分でコアを伝わる紫外線を外部に漏れ難くしているとともに、出射部によってコアを伝わる紫外線を外部に出射する。
【０００３】
この紫外線照射装置が家具等の裏や隙間に設けられれば、出射部から出射する紫外線によってその家具等の裏や隙間を殺菌、消毒等することができる。
【０００４】
【特許文献１】特開２００５−１３７２３号公報
【発明の開示】
【発明が解決しようとする課題】
【０００５】
しかし、上記従来の紫外線照射装置は、長期に亘って使用されたり、汚染のひどい場所で使用されたりしたような場合、出射部の表面が有機物によって汚染され、出射部から紫外線を出射し難くなり、殺菌等の作用を十分に行うことができない。
【０００６】
本発明は、上記従来の実情に鑑みてなされたものであって、殺菌等の作用をより十分に発揮可能な紫外線照射装置を提供することを解決すべき課題としている。また、本発明は、その紫外線照射装置を好適に用いた便器構造及び浴槽構造を提供することも解決すべき課題としている。
【課題を解決するための手段】
【０００７】
本発明の紫外線照射装置は、紫外線を照射可能な紫外線光源と、該紫外線光源と一体に該紫外線を透光可能な透光性材料によって形成され、該紫外線光源が照射する該紫外線が内部に入射され、かつ該紫外線を外部に出射可能な出射部が少なくとも一部に形成された透光性部材と、該出射部の表面に形成され、該紫外線を透光可能であるとともに光触媒を含む防汚層とを備えていることを特徴とする。
【０００８】
この紫外線照射装置は、種々の場所で用いられる場合、透光性部材の内部に紫外線光源が照射する紫外線が入射され、その透光性部材の少なくとも一部に形成された出射部から出射する紫外線によってそれらの場所を殺菌等することができる。
【０００９】
ここで、この紫外線照射装置は出射部の表面に防汚層が形成されている。防汚層は、紫外線を透光可能であるため、透光性部材を伝わる紫外線を出射部から自己内に伝え、外部に出射する。この際、防汚層が光触媒を含むため、出射部の表面側の防汚層が有機物によって汚染されたとしても、光触媒をその紫外線で励起してその有機物を分解することができる。このため、この紫外線照射装置は、出射部から紫外線を安定して出射できる。
【００１０】
したがって、この紫外線照射装置は、殺菌等の作用をより十分に発揮可能である。
【００１１】
紫外線光源は、紫外線を照射可能なものであればよく、公知の紫外線ランプの他、紫外線ＬＥＤを採用することができる。紫外線は光触媒を効果的に励起可能な３８０ｎｍの波長のものであることが好ましい。紫外線照射装置の小型化、省電力化、耐久性のためには紫外線ＬＥＤを採用することが好ましい。
【００１２】
透光性部材は紫外線光源と一体に形成されている。透光性部材は、棒状であってもよく、板状であってもよく、リング状であってもよい。透光性部材は、シリコーンゴム、アクリル、ガラス等の紫外線を透光可能な透光性材料によって形成される。透光性部材は、紫外線光源が照射する紫外線が内部に入射され、かつ紫外線を外部に出射可能な出射部が少なくとも一部に形成されている。出射部としては、透光性部材の表面に形成したドット、メッシュ又はストライプ状の粗面を採用することができる。
【００１３】
防汚層は出射部の表面に形成される。防汚層は、紫外線を透光可能であるとともに、二酸化チタン等の光触媒を含む。具体的には、紫外線の透光性を損なわない範囲で光触媒を混合したシリコーンゴム、アクリル、ポリカーボネート、エポキシ等により防汚層を形成することができる。
【００１４】
出射部は、紫外線光源からの距離が大きくなるほど紫外線を出射し易くされていることが好ましい。紫外線は紫外線光源からの距離が小さい出射部から出射するため、このようにすることによって紫外線光源からの距離が大きな出射部からも好適に紫外線を出射させることができる。
【００１５】
透光性部材及び防汚層は変形可能であることが好ましい。この場合、場所に応じて紫外線照射装置を変形させて使用することが可能になる。このため、透光性部材及び防汚層はシリコーンゴムを主成分として形成されていることが好ましい。
【００１６】
紫外線光源は電磁給電によって紫外線を照射可能なものであることが好ましい。この場合、紫外線光源に外部からの通電を行うための端子を紫外線照射装置に設ける必要がなくなり、漏電の懸念を払拭することができる。
【００１７】
本発明の便器構造は、床面に便器本体を載置した便器構造において、床面と便器本体との間に上記紫外線照射装置が設けられていることを特徴とする。
【００１８】
この便器構造は、上記紫外線照射装置が床面と便器本体との間に設けられているため、床面と便器本体との間を好適に殺菌等することができる。
【００１９】
本発明の浴槽構造は、上縁が壁面に当接するように浴槽を施工した浴槽構造において、上縁の内部に上記紫外線照射装置が設けられていることを特徴とする。
【００２０】
この浴槽構造は、上記紫外線照射装置が浴槽の上縁の内部に設けられているため、壁面と浴槽の上縁との間を好適に殺菌等することができる。
【発明を実施するための最良の形態】
【００２１】
以下、本発明を具体化した実施例１〜７及びこれらを種々の場所に適用した適用例１〜２２を図面を参照しつつ説明する。
【００２２】
（実施例１）
実施例１の紫外線照射装置１０は、図１に示すように、棒状をなす本体部１と、本体部１の両端に設けられた一対のコネクタ２とからなる。
【００２３】
本体部１は、図２にその一部を示すように、透光性部材５と防汚層７とからなり、変形可能なものである。透光性部材５は、シリコーンゴム、アクリル、ガラス、ポリカーボネート、エポキシ等の透光性材料によって形成されている。この透光性部材５の表面には、光触媒である二酸化チタンを混合したシリコーンゴム、アクリル、ポリカーボネート、エポキシ等により防汚層７が形成されている。透光性部材５の一端には凹部５ｂが形成されている。
【００２４】
コネクタ２は、ハウジング２ａと、二次コイル２ｂと、紫外線光源としての紫外線ＬＥＤ３とからなる。ハウジング２ａは透光性部材５及び防汚層７の一端部を覆うようにその一端部に固定されている。二次コイル２ｂは、ハウジング２ａ内の一端側に収納されている。紫外線ＬＥＤ３は３８０ｎｍの波長の紫外線を照射可能なものである。また、紫外線ＬＥＤ３は透光性部材５の凹部５ｂと嵌合しており、透光性部材５と一体に形成されている。紫外線ＬＥＤ３のピン端子３ａは二次コイル２ｂと電気的に接続されている。
【００２５】
透光性部材５の表面には、図３に示すように、粗面によって出射部５ａが形成されている。出射部５ａは、紫外線ＬＥＤ３からの距離が大きくなるほど紫外線を出射し易くされている。例えば、図４に示すように、紫外線ＬＥＤ３からの距離Ｌ１において第１出射部５ｃが形成され、紫外線ＬＥＤ３からの距離が距離Ｌ１より大きい距離Ｌ２において第２出射部５ｄが形成され、紫外線ＬＥＤ３からの距離が距離Ｌ２より大きい距離Ｌ３において第３出射部５ｅが形成されている。第２出射部５ｄは第１出射部５ｃより細かい粗面に形成され、第３出射部５ｅは第２出射部５ｄより細かい粗面に形成されている。こうして、第１〜３出射部５ｃ、５ｄ、５ｅでは、互いに略同量の紫外線が出射されるようになっている。
【００２６】
実施例１の紫外線照射装置１０は、図２に示すように、プラグ４がコネクタ２に接続されることにより、紫外線ＬＥＤ３が紫外線を照射可能とされる。
【００２７】
プラグ４は、ハウジング４ａと一次コイル４ｂとを備える。ハウジング４ａは、プラグ４をコネクタ２に接続した状態でハウジング２ａの一端側に嵌合するものである。一次コイル４ｂは、ハウジング４ａ内に収納され、プラグ４をコネクタ２に接続した状態で二次コイル２ｂと対向するように位置している。また、一次コイル４ｂは、一対のリード線４ｃにより外部の図示しない電源と電気的に接続されている。
【００２８】
上記プラグ４をコネクタ２に接続し、図示しない電源によりリード線４ｃを介して一次コイル４ｂに通電すれば、紫外線ＬＥＤ３は、電磁給電されて紫外線を照射する。そして、図３に示すように、その紫外線は透光性部材５の内部に入射され、防汚層７を透光しつつ出射部５ａから外部に出射される。
【００２９】
（実施例２）
実施例２の紫外線照射装置２０は、図５にその一部を示すように、本体部１と、本体部１の両端に設けられた一対のコネクタ１２とからなる。
【００３０】
コネクタ１２は、ハウジング１２ａと、一対の受電端子１２ｂと、実施例１と同様の紫外線光源としての紫外線ＬＥＤ３とからなる。ハウジング１２ａは透光性部材５及び防汚層７の一端部を覆うようにその一端部に固定されている。受電端子１２ｂは、有底筒状をなし、開口を外部に露出させつつハウジング１２ａに固定されている。他の構成は実施例１の紫外線照射装置１０と同様である。
【００３１】
実施例２の紫外線照射装置２０は、プラグ１４がコネクタ１２に接続されることにより、紫外線ＬＥＤ３が紫外線を照射可能である。
【００３２】
プラグ１４は、プラグ本体１４ａと、プラグ本体１４ａに突設された一対のピン端子１４ｂとを備える。プラグ本体１４ａは、プラグ１４をコネクタ１２に接続した状態でコネクタ１２の一端に当接するものである。ピン端子１４ｂは、プラグ１４をコネクタ１２に接続した状態で受電端子１２ｂと嵌合し、受電端子１２ｂと電気的に接続されるものである。また、ピン端子１４ｂは、プラグ本体１４ａ内部において一対のリード線１４ｃと電気的に接続され、これらリード線１４ｃにより外部の図示しない電源と電気的に接続されている。
【００３３】
上記プラグ１４をコネクタ１２に接続し、図示しない電源によりリード線１４ｃ、ピン端子１４ｂ、受電端子１２ｂ及びピン端子３ａを介して紫外線ＬＥＤ３に通電する。こうして、紫外線ＬＥＤ３は紫外線を照射する。そして、実施例１と同様、その紫外線は透光性部材５の内部に入射され、防汚層７を透光しつつ出射部５ａから外部に出射される。
【００３４】
（実施例３）
実施例３の紫外線照射装置３０は、図６に示すように、リング状をなす本体部６と、本体部６に設けられたコネクタ２１とからなる。
【００３５】
コネクタ２１は、ハウジング２１ａと、一対の受電端子２１ｂと、紫外線光源としての紫外線ＬＥＤ３とからなる。ハウジング２１ａは、透光性部材５及び防汚層７の両端部を覆うように固定されている。他の構成は実施例１、２の紫外線照射装置１０、２０と同様である。
【００３６】
実施例３の紫外線照射装置３０も、実施例２と同様のプラグ１４をコネクタ２１に接続し、紫外線ＬＥＤ３に通電することにより、紫外線ＬＥＤ３が紫外線を照射する。そして、その紫外線は透光性部材５の内部に入射され、防汚層７を透光しつつ出射部から外部に出射される。
【００３７】
以下、紫外線照射装置１０、２０、３０を用いた便器構造及び浴槽構造等について説明する。
【００３８】
（適用例１）
図８に示すように、上記紫外線照射装置１０、２０、３０は、床面Ｆに便器本体５０を載置した便器構造において、床面Ｆと便器本体５０との間に設けられ得る。なお、便器本体５０には便座５２、便蓋５３等が設けられている。
【００３９】
この場合、図９に示すように、紫外線照射装置１０、２０、３０を便器本体５０の下面５０ａに設けられる。この際、紫外線照射装置１０、２０、３０は、透光性部材５及び防汚層７が変形可能であるため、好適に床面Ｆと便器本体５０との間に設けられる。そして、紫外線を出射部５ａから床面Ｆと便器本体５０との間に出射することができる。
【００４０】
この際、紫外線照射装置１０、２０、３０の防汚層７は、紫外線を透光可能であるため、透光性部材５を伝わる紫外線を出射部５ａから自己内に伝え、外部に出射する。そして、防汚層７が光触媒を含むため、出射部５ａの表面側の防汚層７が有機物によって汚染されたとしても、光触媒をその紫外線で励起してその有機物を分解することができる。このため、これらの紫外線照射装置１０、２０、３０は、出射部５ａから紫外線を安定して出射できる。
【００４１】
特に、紫外線照射装置１０、２０、３０の紫外線ＬＥＤ３は３８０ｎｍの波長の紫外線を照射するため、光触媒を効果的に励起することができる。また、紫外線照射装置１０、２０、３０は、出射部５ａは紫外線ＬＥＤ３からの距離が大きくなるほど紫外線を出射し易くされているため、紫外線ＬＥＤ３から遠い出射部５ａからも好適に紫外線を出射させることができる。
【００４２】
したがって、この便器構造であれば床面Ｆと便器本体５０との間を好適に殺菌等することができる。
【００４３】
また、紫外線照射装置１０、２０、３０は、紫外線光源として紫外線ＬＥＤ３を採用しているため、小型化、省電力化、耐久性において有利である。
【００４４】
また、紫外線照射装置１０は、紫外線ＬＥＤ３が電磁給電によって紫外線を照射するため、紫外線ＬＥＤ３に外部からの通電を行うための端子を設ける必要がなくなり、漏電の懸念を払拭することができる。
【００４５】
（適用例２）
図１０に示すように、上記紫外線照射装置１０、２０、３０は、上縁６０ａが壁面Ｗに当接するように浴槽６０を施工した浴槽構造において、上縁６０ａの内部に設けられ得る。
【００４６】
この場合、紫外線は壁面Ｗと浴槽６０の上縁６０ａとの間に出射され得る。したがって、この浴槽構造であれば、壁面Ｗと浴槽６０の上縁６０ａとの間を好適に殺菌等することができる。他の作用効果は適用例１と同様である。
【００４７】
（適用例３）
図１１に示すように、上記紫外線照射装置１０、２０、３０は、洋風便器７０の便蓋７１の裏面にも設けられ得る。なお、洋風便器７０は便器本体７３、便座７２、便蓋７１等を備える。
【００４８】
この場合、図１２（ａ）に示すように、紫外線は便蓋７１と便器本体７３の便鉢との間に出射される。このため、便蓋７１と便器本体７３の便鉢との間を好適に殺菌等することができる。他の作用効果は適用例１と同様である。
【００４９】
（適用例４）
適用例３と同様の構成において、図１２（ｂ）に示すように、ミラー７４が便蓋７１の裏面に延設されている場合、便蓋７１と便座７２との間も好適に殺菌等することができる。他の作用効果は適用例１と同様である。
【００５０】
（適用例５）
図１３に示すように、紫外線照射装置１０、２０、３０は、便器本体７３のリム７３ａの下面にも設けられ得る。なお、リム７３ａとしては、図（ａ）に示すように、リム７３ａ内に通水路を有するものと、図（ｂ）に示すように、通水路を有さないものとがあり得る。
【００５１】
この場合も、紫外線は便器本体７３内のリム７３ａの下側等に出射され、便器本体７３の便鉢を好適に殺菌等することができる。他の作用効果は適用例１と同様である。
【００５２】
（適用例６）
図１４に示すように、紫外線照射装置１０、２０、３０は、洋風便器８０の便器洗浄タンク８１にも設けられ得る。便器洗浄タンク８１は、便器本体７３の後部に載置されるともに陶磁器製のタンク本体８５と蓋８６とからなる。
【００５３】
紫外線照射装置１０、２０、３０をタンク本体８５内に設けることにより、便器洗浄タンク８１内の水を好適に殺菌等することができる。他の作用効果は適用例１と同様である。
【００５４】
（適用例７）
図１５に示すように、洋風便器８０の便器洗浄タンク８１において、紫外線照射装置１０、２０、３０は、タンク本体８５内の上縁の内側や蓋８６の内面にも設けられ得る。
【００５５】
これらの場合、タンク本体８５と蓋８６との間を好適に殺菌等することができる。他の作用効果は適用例１と同様である。
【００５６】
（適用例８）
図１６に示すように、紫外線照射装置１０、２０は、カウンタ１００の下面にも設けられ得る。このカウンタ１００は板状をなし、屋内の壁面ＷにＬ字部材１００ａによって固定されている。
【００５７】
この場合、図（ａ）に示すように、紫外線照射装置１０、２０をカウンタ１００の下面における壁面Ｗから遠い側に設ければ、壁面Ｗ及びカウンタ１００の下面を好適に殺菌等することができる。他の作用効果は適用例１と同様である。
【００５８】
（適用例９）
また、適用例８において、図（ｂ）に示すように、紫外線照射装置１０、２０をカウンタ１００の下面における壁面Ｗに近い側に設ければ、屋内及びカウンタ１００の下面を好適に殺菌等することもできる。他の作用効果は適用例１と同様である。
【００５９】
（実施例４、適用例１０）
図１７に示すように、カウンタ自体を紫外線照射装置１００にすることも可能である。紫外線照射装置１００は下面側に出射部５ａを有することが好ましい。
【００６０】
この場合、紫外線ＬＥＤ３が紫外線を照射すれば、その紫外線が透光性部材５に入射されて防汚層７を透光しつつ出射部５ａから壁面Ｗ及び屋内に出射される。このため、壁面Ｗ、屋内及び紫外線照射装置１００の下面を好適に殺菌等することができる。他の作用効果は適用例１と同様である。
【００６１】
（適用例１１）
図１８に示すように、紫外線照射装置１０、２０は手摺り１２０にも設けられ得る。
【００６２】
この場合、図（ｂ）に示すように、紫外線照射装置１０、２０を手摺り１２０の壁面Ｗ側に設ければ、壁面Ｗを好適に殺菌等することができる。他の作用効果は適用例１と同様である。
【００６３】
（適用例１２）
手摺り１２０と同様の構成を有するタオル掛けに紫外線照射装置１０、２０を設けることも可能である。
【００６４】
この場合、タオル掛けに掛けられたタオル及び壁面Ｗを好適に殺菌等することができる。他の作用効果は適用例１と同様である。
【００６５】
（適用例１３）
紫外線照射装置１０、２０、３０は、図１９（ａ）に示すタオル掛け１３０にも設けられ得る。このタオル掛け１３０は、リング部１３０ａと、壁面Ｗに固定されてリング部１３０ａを保持するための保持部１３０ｂとからなる。
【００６６】
紫外線照射装置１０、２０、３０をリング部１３０ａとして用いれば、リング部１３０ａに掛けられるタオル及び壁面Ｗを好適に殺菌等することができる。他の作用効果は適用例１と同様である。
【００６７】
（実施例５、適用例１４）
適用例１２のタオル掛け１３０において、保持部自体を紫外線照射装置１３０ｂとすることができる。紫外線照射装置１３０ｂは全周に出射部５ａを有することが好ましい。
【００６８】
この場合、図１９（ｂ）に示すように、リング部１３０ａに掛けられたタオル及び壁面Ｗを好適に殺菌等することができる。他の作用効果は適用例１と同様である。
【００６９】
（適用例１５）
図２０に示すように、紫外線照射装置１０、２０、３０は浴槽１４１の風呂蓋１４０に一体的に設けられ得る。
【００７０】
この場合、図２１に示すように、紫外線照射装置１０、２０、３０の出射部５ａを浴槽１４１側に向けつつ、紫外線照射装置１０、２０、３０の出射部５ａ付近以外を風呂蓋１４０の浴槽１４１側に嵌め込むように設ければ、出射部５ａから出射される紫外線により浴槽１４１内を好適に殺菌等することができる。他の作用効果は適用例１と同様である。
【００７１】
（適用例１６）
図２２（ａ）に示すように、紫外線照射装置１０、２０、３０は洗面器１５０にも設けられ得る。
【００７２】
この場合、図２２（ｂ）に示すように、紫外線照射装置１０、２０、３０を洗面器１５０のスカート部内に設ければ、洗面器１５０の裏面、排水管及び床面を好適に殺菌等することができる。他の作用効果は適用例１と同様である。
【００７３】
（適用例１７）
図２３に示すように、紫外線照射装置１０、２０、３０は、洗面化粧台９０にも設けられ得る。洗面化粧台９０は、洗面器９１、天板９４等を備える。
【００７４】
この場合、紫外線照射装置１０、２０、３０を天板９４の下面に設置することにより、パッキン９３及び洗面器９１の内面を好適に殺菌等することができる。他の作用効果は適用例１と同様である。
【００７５】
（適用例１８）
図２４に示すように、紫外線照射装置１０、２０、３０は、便器本体１６０の内部にも設けられ得る。
【００７６】
この場合、床面と便器本体１６０との間を好適に殺菌等することができる。他の作用効果は適用例１と同様である。
【００７７】
（適用例１９）
図２５に示すように、紫外線照射装置１０、２０、３０は、床面Ｆから離れて固定される小便器１７０のスカート部内に設けることも可能である。
【００７８】
この場合、床面Ｆと小便器１７０との間を好適に殺菌等することができる。特に、小便器１７０の下方に位置するタイル４０が光触媒を含むものである場合、その光触媒を紫外線によって活性化し、より高い防汚効果を発揮することができる。他の作用効果は適用例１と同様である。
【００７９】
（適用例２０）
図２６に示すように、紫外線照射装置１０、２０、３０は、トイレ室に設置する補助部材１８０にも設けられ得る。補助部材１８０は、洋風便器１８１付近に設置され、高齢者や身体障害者が用便時に楽な姿勢をとるためのものである。この補助部材１８０は、アーム１８５、背もたれ部１８６、支持部１８７等を備える。アーム１８５は用便時に手を掛けるためのものである。背もたれ部１８６は用便時に背中をもたれさせるためのものである。支持部１８７は床面Ｆから上方に延びてアーム１８５や背もたれ部１８６を支持するものである。
【００８０】
この場合、紫外線照射装置１０、２０、３０をアーム１８５の下面に設置することにより、床面と洋風便器１８１との間を好適に殺菌等することができる。他の作用効果は適用例１と同様である。なお、紫外線照射装置１０、２０、３０を背もたれ部１８６の下端や支持部１８７に設けてもよい。これらの場合にも同様の効果を奏する。
【００８１】
（実施例６、適用例２１）
図２７及び図２８に示すように、洋風便器１９０に用いられるベースプレート自体を紫外線照射装置１９１とし得る。ベースプレートは便器本体１９５に便座１９３及び便蓋１９４等からなる便座便蓋装置１９７を固定するためのものである。
【００８２】
この場合、便器本体１９５と便座便蓋装置１９７との間を好適に殺菌等することができる。他の作用効果は適用例１と同様である。
【００８３】
（実施例７、適用例２２）
図２９に示すように、洋風便器１９０のボルト自体を紫外線照射装置１９６とすることもできる。ボルトは、便器本体１９５に便座便蓋装置１９７を固定するためのものである。
【００８４】
この場合、図２７に示すように、便器本体１９５と便座便蓋装置１９７との間を好適に殺菌等することができるとともに、便鉢１９５の後ろ側において、床面と便器本体１９５との間を好適に殺菌等することができる。他の作用効果は適用例１と同様である。
【００８５】
以上において、本発明を実施例１〜７及び適用例１〜２２に即して説明したが、本発明は上記実施例１〜７及び適用例１〜２２に制限されるものではなく、その趣旨を逸脱しない範囲で適宜変更して適用できることはいうまでもない。
【産業上の利用可能性】
【００８６】
本発明は、便器構造、浴槽構造、高齢者用又は身体障害者用の補助部材、洗面器、洗面化粧台、カウンタ、手摺り、タオル掛け等の種々のものに利用可能である。
【図面の簡単な説明】
【００８７】
【図１】実施例１の紫外線照射装置の斜視図である。
【図２】実施例１の紫外線照射装置の要部拡大断面図である。
【図３】実施例１の紫外線照射装置に係り、図２の矢視ＩＩＩ−ＩＩＩの断面図である。
【図４】実施例１の紫外線照射装置の一部平面図である。
【図５】実施例２の紫外線照射装置の要部拡大断面図である。
【図６】実施例３の紫外線照射装置の斜視図である。
【図７】実施例３の紫外線照射装置の要部拡大断面図である。
【図８】適用例１の便器構造の側面図である。
【図９】適用例１の便器構造の要部拡大断面図である。
【図１０】適用例２の浴槽構造の要部断面図である。
【図１１】適用例３の便器構造の側面図である。
【図１２】図（ａ）は適用例３の便器構造の要部拡大断面図であり、図（ｂ）は適用例４の便器構造の要部拡大断面図である。
【図１３】適用例５の便器構造の要部拡大断面図である。
【図１４】適用例６の便器構造の側面図である。
【図１５】適用例７の便器構造に係り、便器洗浄タンクの要部斜視図である。
【図１６】適用例８、９に係る断面図である。図（ａ）は適用例８の断面図であり、図（ｂ）は適用例９の断面図である。
【図１７】実施例４及び適用例１０に係る拡大断面図である。
【図１８】適用例１１、１２に係り、図（ａ）は手摺りの斜視図、図（ｂ）は手摺り等の拡大断面図である。
【図１９】適用例１３並びに実施例５及び適用例１４に係り、図（ａ）はタオル掛けの斜視図、図（ｂ）はタオル掛けの要部拡大断面図である。
【図２０】適用例１５に係る浴槽構造の斜視図である。
【図２１】適用例１５に係り、風呂蓋の要部拡大断面図である。
【図２２】適用例１６に係り、図（ａ）は洗面器の斜視図であり、図（ｂ）は洗面器の要部拡大断面図である。
【図２３】適用例１７に係り、洗面化粧台の要部断面図である。
【図２４】適用例１８の便器構造に係り、便器本体の断面図である。
【図２５】適用例１９の便器構造の斜視図である。
【図２６】適用例２０に係り、トイレ用の補助部材及び便器本体の斜視図である。
【図２７】実施例６、７及び適用例２１、２２の便器構造に係り、洋風便器の一部分解斜視図である。
【図２８】実施例６及び適用例２１の便器構造に係り、便器本体等の要部拡大断面図である。
【図２９】実施例７及び適用例２２の便器構造に係り、ボルトの要部拡大断面図である。
【符号の説明】
【００８８】
３…紫外線光源（紫外線ＬＥＤ）
５…透光性部材
５ａ…出射部
７…防汚層
Ｆ…床面
５０、７３、１６０、１７０、１９５…便器本体（１７０…小便器）
Ｗ…壁面
６０、１４１…浴槽
【図１】
2007027553.tif 000003
【図２】
2007027553.tif 000004
【図３】
2007027553.tif 000005
【図４】
2007027553.tif 000006
【図５】
2007027553.tif 000007
【図６】
2007027553.tif 000008
【図７】
2007027553.tif 000009
【図８】
2007027553.tif 000010
【図９】
2007027553.tif 000011
【図１０】
2007027553.tif 000012
【図１１】
2007027553.tif 000013
【図１２】
2007027553.tif 000014
【図１３】
2007027553.tif 000015
【図１４】
2007027553.tif 000016
【図１５】
2007027553.tif 000017
【図１６】
2007027553.tif 000018
【図１７】
2007027553.tif 000019
【図１８】
2007027553.tif 000020
【図１９】
2007027553.tif 000021
【図２０】
2007027553.tif 000022
【図２１】
2007027553.tif 000023
【図２２】
2007027553.tif 000024
【図２３】
2007027553.tif 000025
【図２４】
2007027553.tif 000026
【図２５】
2007027553.tif 000027
【図２６】
2007027553.tif 000028
【図２７】
2007027553.tif 000029
【図２８】
2007027553.tif 000030
【図２９】
2007027553.tif 000031